(57)【要約】      （修正有）【課題】傾斜の異なる踏面を簡単かつ迅速に変更でき、アキレス腱への長時間負担を防止し、行動範囲を気にせずに気軽に履くことができる履物を提供する。【解決手段】本考案の履物は、つま先部分に比べて踵部分が低くなるように傾斜している踏面を有する履物本体１と、上記踏面上に敷設して、踵部分が高くなるように傾斜している踏面を有する中敷き４から成る。また、本考案の履物は、上面が柔軟性を有する前方中空部及び後方中空部と、これらの中空部内に封入される流体と、両中空部内の流体の移動を阻止したり許容したりする弁体４ｄから構成される流体踏面を備える。【選択図】図２
0003114776.tif 000002
【実用新案登録請求の範囲】
【請求項１】
つま先部分に比べて踵部分が低くなるように傾斜している踏面を有する履物本体と、上記踏面上に敷設して、踵部分が高くなるように傾斜している踏面を有する中敷きから成ることを特徴とする履物。
【請求項２】
ほぼ水平な踏面を有する履物本体と、上記踏面上に敷設して、つま先部分に比べて踵部分が低くなるように傾斜している踏面を有する中敷きから成ることを特徴とする履物。
【請求項３】
踵部分が高くなるように傾斜している踏面を有する更に別の中敷きを、上記中敷き上に重ねて敷設するように構成したことを特徴とする請求項１または２に記載の履物。
【請求項４】
ほぼ水平の踏面を有する履物本体と、流体中敷きから成り、該流体中敷きが、柔軟性を有する前方中空部及び後方中空部と、これらの中空部内に封入される流体と、両中空部内の流体の移動を阻止したり許容したりする弁体から構成されることを特徴とする履物。
【請求項５】
上面が柔軟性を有する前方中空部及び後方中空部と、これらの中空部内に封入される流体と、両中空部内の流体の移動を阻止したり許容したりする弁体から構成される流体踏面を備えることを特徴とする履物。
【考案の詳細な説明】
【技術分野】
【０００１】
本考案は、履物、さらに詳細には、傾斜中敷きを敷設可能な或いは敷設した、靴やサンダル等の履物に関する。
【背景技術】
【０００２】
従来のこの種の履物としては、踵部を高くした中敷き（例えば、特許文献１、２参照）、また、水平にしたり傾斜させる中敷き（例えば、特許文献３参照）を敷設することにより、背丈を高く装ったり、リハビリ用に使用したり、履き替えに便利で、靴の踵を踏まずに歩行できるように工夫したものがあった。
【０００３】
つま先部分に比べて踵部分が低くなるように傾斜している踏面を有する履物は、アキレス腱などのストレッチ効果があり、また、図５に示すように、臀部、腹部、ふくらはぎ部などの脂肪を燃焼させて、この種の履物が健康サンダル、健康シューズとして知られている。
しかし、上記従来の履物は、歩行の度にアキレス腱を普段より強く引っ張るので、アキレス腱への負担が大きく、長時間使用するのは不可能で、１日２〜３時間に使用が制限されているため、行動範囲が限られ、遠距離の使用に不便である等の問題があった。
【特許文献１】実用新案登録第３０６８７８５号公報
【特許文献２】実用新案登録第３０６８６５１号公報
【特許文献３】特開２００４−０４９８３３
【考案の開示】
【考案が解決しようとする課題】
【０００４】
本考案は、傾斜の異なる踏面を簡単かつ迅速に変更でき、アキレス腱への長時間負担を防止し、行動範囲を気にせずに気軽に履くことができる履物を提供することにある。
【課題を解決するための手段】
【０００５】
本考案の履物は、つま先部分に比べて踵部分が低くなるように傾斜している踏面を有する履物本体と、上記踏面上に敷設して、踵部分が高くなるように傾斜している踏面を有する中敷きから成ることを特徴とする。また、ほぼ水平な踏面を有する履物本体と、上記踏面上に敷設して、つま先部分に比べて踵部分が低くなるように傾斜している踏面を有する中敷きから成ることを特徴とする。さらに、上記履物において、踵部分が高くなるように傾斜している踏面を有する更に別の中敷きを、上記中敷き上に重ねて敷設するように構成したことを特徴とする。
また、本考案の履物は、ほぼ水平の踏面を有する履物本体と、流体中敷きから成り、該流体中敷きが、柔軟性を有する前方中空部及び後方中空部と、これらの中空部内に封入される流体と、両中空部内の流体の移動を阻止したり許容したりする弁体から構成されることを特徴とする。さらに、上面が柔軟性を有する前方中空部及び後方中空部と、これらの中空部内に封入される流体と、両中空部内の流体の移動を阻止したり許容したりする弁体から構成される流体踏面を備えることを特徴とする。
【考案の効果】
【０００６】
本考案の履物は、傾斜の異なる踏面を簡単かつ迅速に変更でき、アキレス腱への長時間負担を防止し、行動範囲を気にせずに気軽に履くことができるという利点がある。
【考案を実施するための最良の形態】
【０００７】
以下、本考案の実施例について図面を参照しながら説明する。
【実施例１】
【０００８】
図１は本考案装置の第１の実施例を示すもので、図１（Ａ）において、１は靴本体であって、その中に入れた足の裏面が接する踏面１ａは、つま先部分に比べて踵部分が低くなるように傾斜（例えば、５〜１５°）している。図示の踏面１ａは平らな傾斜面となっているが、全体的に傾斜していれば、多少の曲面となっていてもよい。
【０００９】
上記構成の靴を履いた場合には、つま先上がりとなっているので、特に、脹ら脛部分が緊張した状態で歩行することができ、健脚運動靴としての機能を発揮することができる。
【００１０】
次に、図１（Ｂ）に示すように、第一中敷き２を敷設して、通常の靴底にように、その踏面２ａを水平にする。この場合、上記第一中敷き２の踵部を多少高くしてもよい。
【００１１】
続いて、図１（Ｃ）に示すように、上記第一中敷き２の上に、更に第二中敷き３を敷設する。該第二中敷き２は、更に踏面３ａの踵部を高くして、上記従来の中敷きと同様に使用することが出来る。
なお、第一中敷き２の上に、更に第二中敷き３を重ねて敷設する代わりに、第一中敷き２を取り出して、踵部が高くなった別の中敷きを敷設してもよい。
【００１２】
上記実施例では、靴本体１の中に入れた足の裏面が接する踏面１ａは、つま先部分に比べて踵部分が低くなるように傾斜しているが、この踏面１ａをほぼ水平にしておき、その上に敷設する中敷きにより、つま先部分に比べて踵部分が低くなるように傾斜させるようにしてもよい。さらに、この中敷きに重ねて踵部分が高くなった別の中敷きを敷設したり、或いは、上記中敷きを取り出して、これに代えて、踵部分が高くなった別の中敷きを敷設することができる。
【実施例２】
【００１３】
図２は本考案の第２の実施例を示すもので、図２（Ａ）に示すように、靴本体１の踏面は、ほぼ水平になっている。４は流体中敷きであって、主として柔軟性を有する前方中空部４ａ及び後方中空部４ｂと、これらの中空部４ａ、４ｂ内に封入される流体４ｃと、両中空部４ａ、４ｂ内の流体４ｃの移動を阻止したり許容したりする弁体４ｄから構成されている。
【００１４】
上記流体４ｃは、水やオイルなどの液体でも、空気などの気体でも、いずれでもよいが、非圧縮性の流体が好ましい。また、弁体４ｄとしては、両中空部４ａ、４ｂ内の流体４ｃの移動を阻止したり許容する機能を有し、簡単に切換操作ができ、また、足を乗せたときに抵抗感がない構造のものであれば、いずれの構造の弁でもよい。
【００１５】
本実施例の流体中敷き４は、以上のように構成されているので、通常は、図２（Ａ）に示すように、均一な厚みの状態で使用する。次に、弁体４ｄを操作して、流体４ｃの流通を許容し、後方中空部４ｂの流体４ｄを矢印イの前方中空部４ａに移動させてから、弁体４ｄを閉止すると、前方中空部４ａの厚みが大きくなり、逆に、後方中空部４ｂの厚みが小さくなって、つま先が高くなった状態で履くことができる。
【００１６】
一方、図２（Ｃ）に示すように、弁体４ｄを操作して、流体４ｃの流通を許容し、前方中空部４ａの流体４ｄを矢印ロの後方中空部４ｂに移動させてから、弁体４ｄを閉止すると、後方中空部４ｂの厚みが大きくなり、逆に、前方中空部４ａの厚みが小さくなって、踵が高くなった状態で履くことができる。
【実施例３】
【００１７】
図３は、本考案の第３の実施例を示すもので、上記第２実施例の流体中敷４に代えて、靴本体１の踏面部に、流体踏面５を一体的に構成する。該流体踏面５は、上面が柔軟性を有する前方中空部５ａ及び後方中空部５ｂと、これらの中空部５ａ、５ｂ内に封入される流体５ｃと、両中空部５ａ、５ｂ内の流体の移動を阻止したり許容したりする弁体５ｄから成る。
【実施例４】
【００１８】
図４は、本考案の第４の実施例を示すもので、図３（Ａ）において、６はサンダル本体であって、その足の裏面が接する踏面６ａは、つま先部分に比べて踵部分が低くなるように傾斜している。６ｂはベルトである。本構成のサンダルを履いた場合には、つま先上がりとなっているので、特に、アキレス腱や脹ら脛部分が緊張した状態となる。
【００１９】
次に、図３（Ｂ）に示すように、第一中敷き７を敷設して、通常の靴底にように、その踏面７ａを水平にする。この場合、上記第一中敷き７の踵部を多少高くしてもよい。この中敷き７は面ファスナー等によりサンダル本体６に付設する。
【００２０】
続いて、図３（Ｃ）に示すように、上記第一中敷き７をサンダル本体６から取り外して、第二中敷き８を付設する。該第二中敷き８は、更に踏面８ａの踵部が高くなっている。
【００２１】
本考案の履物には、各種の靴、各種のサンダル、各種の下駄などが含まれる。
【図面の簡単な説明】
【００２２】
【図１】本考案の履物の第１の実施例を示す構成説明図（Ａ）、作用説明図（Ｂ）（Ｃ）である。
【図２】本考案の履物の第２の実施例を示す構成説明図（Ａ）、作用説明図（Ｂ）（Ｃ）である。
【図３】本考案の履物の第３の実施例を示す構成説明図である。
【図４】本考案の履物の第４の実施例を示す構成説明図（Ａ）、作用説明図（Ｂ）（Ｃ）である。
【図５】つま先上がり状態で歩行できる従来の履物による臀部、腹部、ふくらはぎ部などの脂肪燃焼の説明図である。
【符号の説明】
【００２３】
１    靴本体
１ａ  踏面
２    第一中敷き
２ａ  踏面
３    第二中敷き
３ａ  踏面
４    流体中敷き
４ａ  前方中空部
４ｂ  後方中空部
４ｃ  流体
４ｄ  弁体
５    流体踏面
５ａ  前方中空部
５ｂ  後方中空部
５ｃ  流体
５ｄ  弁体
６    サンダル本体
６ａ  踏面
７    第一中敷き
７ａ  踏面
８    第二中敷き
８ａ  踏面
【図１】
0003114776.tif 000003
【図２】
0003114776.tif 000004
【図３】
0003114776.tif 000005
【図４】
0003114776.tif 000006
【図５】
0003114776.tif 000007
【手続補正書】
【提出日】平成17年7月21日(2005.7.21)
【手続補正１】
【補正対象書類名】実用新案登録請求の範囲
【補正対象項目名】全文
【補正方法】変更
【補正の内容】
【実用新案登録請求の範囲】
【請求項１】
つま先部分に比べて踵部分が低くなるように傾斜している踏面を有する履物本体と、上記踏面上に敷設して、踵部分が高くなるように傾斜している踏面を有する中敷きから成ることを特徴とする履物。
【請求項２】
ほぼ水平な踏面を有する履物本体と、上記踏面上に敷設して、つま先部分に比べて踵部分が低くなるように傾斜している踏面を有する中敷きから成ることを特徴とする履物。
【請求項３】
踵部分が高くなるように傾斜している踏面を有する更に別の中敷きを、上記中敷き上に重ねて敷設するように構成したことを特徴とする請求項１または２に記載の履物。
【手続補正２】
【補正対象書類名】明細書
【補正対象項目名】全文
【補正方法】変更
【補正の内容】
【考案の詳細な説明】
【技術分野】
【０００１】
本考案は、履物、さらに詳細には、傾斜中敷きを敷設可能な或いは敷設した、靴やサンダル等の履物に関する。
【背景技術】
【０００２】
従来のこの種の履物としては、踵部を高くした中敷き（例えば、特許文献１、２参照）、また、水平にしたり傾斜させる中敷き（例えば、特許文献３参照）を敷設することにより、背丈を高く装ったり、リハビリ用に使用したり、履き替えに便利で、靴の踵を踏まずに歩行できるように工夫したものがあった。
【０００３】
つま先部分に比べて踵部分が低くなるように傾斜している踏面を有する履物は、アキレス腱などのストレッチ効果があり、また、図３に示すように、臀部、腹部、ふくらはぎ部などの脂肪を燃焼させて、この種の履物が健康サンダル、健康シューズとして知られている。
しかし、上記従来の履物は、歩行の度にアキレス腱を普段より強く引っ張るので、アキレス腱への負担が大きく、長時間使用するのは不可能で、１日２〜３時間に使用が制限されているため、行動範囲が限られ、遠距離の使用に不便である等の問題があった。
【特許文献１】実用新案登録第３０６８７８５号公報
【特許文献２】実用新案登録第３０６８６５１号公報
【特許文献３】特開２００４−０４９８３３
【考案の開示】
【考案が解決しようとする課題】
【０００４】
本考案は、傾斜の異なる踏面を簡単かつ迅速に変更でき、アキレス腱への長時間負担を防止し、行動範囲を気にせずに気軽に履くことができる履物を提供することにある。
【課題を解決するための手段】
【０００５】
本考案の履物は、つま先部分に比べて踵部分が低くなるように傾斜している踏面を有する履物本体と、上記踏面上に敷設して、踵部分が高くなるように傾斜している踏面を有する中敷きから成ることを特徴とする。また、ほぼ水平な踏面を有する履物本体と、上記踏面上に敷設して、つま先部分に比べて踵部分が低くなるように傾斜している踏面を有する中敷きから成ることを特徴とする。さらに、上記履物において、踵部分が高くなるように傾斜している踏面を有する更に別の中敷きを、上記中敷き上に重ねて敷設するように構成したことを特徴とする。
【考案の効果】
【０００６】
本考案の履物は、傾斜の異なる踏面を簡単かつ迅速に変更でき、アキレス腱への長時間負担を防止し、行動範囲を気にせずに気軽に履くことができるという利点がある。
【考案を実施するための最良の形態】
【０００７】
以下、本考案の実施例について図面を参照しながら説明する。
【実施例１】
【０００８】
図１は本考案装置の第１の実施例を示すもので、図１（Ａ）において、１は靴本体であって、その中に入れた足の裏面が接する踏面１ａは、つま先部分に比べて踵部分が低くなるように傾斜（例えば、５〜１５°）している。図示の踏面１ａは平らな傾斜面となっているが、全体的に傾斜していれば、多少の曲面となっていてもよい。
【０００９】
上記構成の靴を履いた場合には、つま先上がりとなっているので、特に、脹ら脛部分が緊張した状態で歩行することができ、健脚運動靴としての機能を発揮することができる。
【００１０】
次に、図１（Ｂ）に示すように、第一中敷き２を敷設して、通常の靴底にように、その踏面２ａを水平にする。この場合、上記第一中敷き２の踵部を多少高くしてもよい。
【００１１】
続いて、図１（Ｃ）に示すように、上記第一中敷き２の上に、更に第二中敷き３を敷設する。該第二中敷き２は、更に踏面３ａの踵部を高くして、上記従来の中敷きと同様に使用することが出来る。
なお、第一中敷き２の上に、更に第二中敷き３を重ねて敷設する代わりに、第一中敷き２を取り出して、踵部が高くなった別の中敷きを敷設してもよい。
【００１２】
上記実施例では、靴本体１の中に入れた足の裏面が接する踏面１ａは、つま先部分に比べて踵部分が低くなるように傾斜しているが、この踏面１ａをほぼ水平にしておき、その上に敷設する中敷きにより、つま先部分に比べて踵部分が低くなるように傾斜させるようにしてもよい。さらに、この中敷きに重ねて踵部分が高くなった別の中敷きを敷設したり、或いは、上記中敷きを取り出して、これに代えて、踵部分が高くなった別の中敷きを敷設することができる。
【実施例２】
【００１３】
図２は、本考案の第２の実施例を示すもので、図２（Ａ）において、６はサンダル本体であって、その足の裏面が接する踏面６ａは、つま先部分に比べて踵部分が低くなるように傾斜している。６ｂはベルトである。本構成のサンダルを履いた場合には、つま先上がりとなっているので、特に、アキレス腱や脹ら脛部分が緊張した状態となる。
【００１４】
次に、図２（Ｂ）に示すように、第一中敷き７を敷設して、通常の靴底にように、その踏面７ａを水平にする。この場合、上記第一中敷き７の踵部を多少高くしてもよい。この中敷き７は面ファスナー等によりサンダル本体６に付設する。
【００１５】
続いて、図２（Ｃ）に示すように、上記第一中敷き７をサンダル本体６から取り外して、第二中敷き８を付設する。該第二中敷き８は、更に踏面８ａの踵部が高くなっている。
【００１６】
本考案の履物には、各種の靴、各種のサンダル、各種の下駄などが含まれる。
【図面の簡単な説明】
【００１７】
【図１】本考案の履物の第１の実施例を示す構成説明図（Ａ）、作用説明図（Ｂ）（Ｃ）である。
【図２】本考案の履物の第２の実施例を示す構成説明図（Ａ）、作用説明図（Ｂ）（Ｃ）である。
【図３】つま先上がり状態で歩行できる従来の履物による臀部、腹部、ふくらはぎ部などの脂肪燃焼の説明図である。
【符号の説明】
【００１８】
１    靴本体
１ａ  踏面
２    第一中敷き
２ａ  踏面
３    第二中敷き
３ａ  踏面
６    サンダル本体
６ａ  踏面
７    第一中敷き
７ａ  踏面
８    第二中敷き
８ａ  踏面
【手続補正３】
【補正対象書類名】図面
【補正対象項目名】全図
【補正方法】変更
【補正の内容】
【図１】
0003114776.tif 000008
【図２】
0003114776.tif 000009
【図３】
0003114776.tif 000010